(57)【要約】【課題】  圧縮処理時の圧縮率を高め、画質劣化を防止できる画像処理装置を提供する。【解決手段】  処理対象となった画像データに対して圧縮時における画素ブロックに対応する前処理ブロックに分割し、当該前処理ブロックごとに所定前処理を実行し、当該前処理後の画像データを所定サイズの画素ブロックに分割し、画素ブロックごとの所定処理によって圧縮を行う画像処理装置である。【選択図】        図１
2005204065.tif 000002
【特許請求の範囲】
【請求項１】
処理対象となった画像データに対して前処理を行う前処理手段と、
前記前処理後の画像データを所定サイズの画素ブロックに分割し、画素ブロックごとの所定処理によって圧縮を行う圧縮手段と、
を含み、
前記前処理手段は、前記画像データを前記圧縮手段における画素ブロックに対応する前処理ブロックに分割し、当該前処理ブロックごとに所定前処理を実行することを特徴とする画像処理装置。
【請求項２】
処理対象となった画像データを所定サイズの前処理ブロックに分割し、当該前処理ブロックごとに所定前処理を実行する前処理手段と、
前記前処理後の画像データを、前記前処理ブロックに対応するサイズの画素ブロックに分割し、画素ブロックごとの所定処理によって圧縮を行う圧縮手段と、
を含むことを特徴とする画像処理装置。
【請求項３】
請求項１又は２に記載の画像処理装置において、
圧縮の対象となった対象画像データのうち所定性状の画像を構成する画像部分を抽出し、当該画像部分を前記対象画像データから除去した画像部分を抽出して、それぞれ第１部分画像データと、第２部分画像データとを生成する手段をさらに含み、
前記前処理手段は、前記第２部分画像データを処理対象の画像データとして、当該第２部分画像データを前記前処理ブロックに分割し、当該前処理ブロックごとに、前記除去された画素の画素値を調整する処理を、前記所定前処理として実行する
ことを特徴とする画像処理装置。
【請求項４】
請求項３に記載の画像処理装置において、
前記前処理手段は、前記所定前処理において、除去された画素の画素値を調整するために、前処理ブロック内で除去されていない画素の画素値に基づいて、前記除去された画素の画素値を決定して調整することを特徴とする画像処理装置。
【請求項５】
請求項３に記載の画像処理装置において、
前記前処理手段は、前記所定前処理において、除去された画素の画素値を調整するために、前処理ブロック内で除去されていない画素がある場合には、当該除去されていない画素の画素値に基づいて、前記除去された画素の画素値を決定し、
前記所定前処理において、除去された画素の画素値を調整するために、前処理ブロック内で除去されていない画素がない場合には、他の前処理ブロック内での除去されていない画素の画素値を取得し、当該取得した画素値に基づいて、前記除去された画素の画素値を決定することにより、
前記除去された画素の画素値を調整することを特徴とする画像処理装置。
【請求項６】
コンピュータを用い、
処理対象となった画像データに対して前処理を行う工程と、
前記前処理後の画像データを所定サイズの画素ブロックに分割し、画素ブロックごとの所定処理によって圧縮を行う工程と、
を実行させ、
前記前処理において、前記画像データを前記圧縮手段における画素ブロックに対応する前処理ブロックに分割し、当該前処理ブロックごとに所定前処理を実行させることを特徴とする画像処理方法。
【請求項７】
コンピュータを用い、
処理対象となった画像データを所定サイズの前処理ブロックに分割し、当該前処理ブロックごとに所定前処理を実行する工程と、
前記前処理後の画像データを、前記前処理ブロックに対応するサイズの画素ブロックに分割し、画素ブロックごとの所定処理によって圧縮を行う工程と、
を実行させることを特徴とする画像処理方法。
【請求項８】
コンピュータに、
処理対象となった画像データに対して前処理を行わせる手順と、
前記前処理後の画像データを所定サイズの画素ブロックに分割し、画素ブロックごとの所定処理によって圧縮を行わせる手順と、
を実行させ、
前記前処理において、前記画像データを前記圧縮手段における画素ブロックに対応する前処理ブロックに分割し、当該前処理ブロックごとに所定前処理を実行させることを特徴とする画像処理プログラム。
【請求項９】
コンピュータに、
処理対象となった画像データを所定サイズの前処理ブロックに分割し、当該前処理ブロックごとに所定前処理を実行する手順と、
前記前処理後の画像データを、前記前処理ブロックに対応するサイズの画素ブロックに分割し、画素ブロックごとの所定処理によって圧縮を行う手順と、
を実行させることを特徴とする画像処理プログラム。
【発明の詳細な説明】
【技術分野】
【０００１】
本発明は、画像データの圧縮処理を行う画像処理装置に関する。
【背景技術】
【０００２】
ラスタ画像のデータ（以下、区別するべき場合を除いて単に「画像データ」と呼ぶ）には、文字（テキスト）部分や、自然画などの部分（絵柄部分）など、互いに性状の異なる多くの画像要素が含まれ得る。こうした画像要素は、その性状の相違から、例えば圧縮処理において異なる方式での圧縮が適していたりするなど、画像要素ごとに異なる画像処理を行うことが好ましい場合が多い。そこで従来から、いわゆるＴ／Ｉ分離と呼ばれる画像処理が研究・開発され、文字部分と絵柄部分とを分離し、文字部分からなる画像データと、絵柄部分からなる画像データを生成して、それぞれに適した圧縮処理を行う処理方法が知られている（特許文献１など）。
【０００３】
また例えば絵柄部分からなる画像データのうち、元は文字部分の画素であった部分の画素値については、当該部分周囲の画素値に設定して穴を埋め、その後に圧縮するのが一般的である。
【特許文献１】特開２００２‐７７６３１号公報
【発明の開示】
【発明が解決しようとする課題】
【０００４】
しかしながら上記従来の方式では、絵柄部分をＪＰＥＧ（Joint Picture Experts Group）圧縮など、所定サイズのブロック単位で圧縮処理を行う場合に、そのブロック内に、上記穴埋めのために設定した画素値が複数種類混在することによって、圧縮率が低くなり、またブロックノイズや色の濁り等が発生して画質の劣化が発生しやすくなるという問題点があった。
【０００５】
本発明は上記実情に鑑みて為されたもので、圧縮率を向上でき、画質の劣化を防止できる画像処理装置を提供することをその目的の一つとする。
【課題を解決するための手段】
【０００６】
上記従来例の問題点を解決するための本発明は、画像処理装置であって、処理対象となった画像データに対して前処理を行う前処理手段と、前記前処理後の画像データを所定サイズの画素ブロックに分割し、画素ブロックごとの所定処理によって圧縮を行う圧縮手段と、を含み、前記前処理手段は、前記画像データを前記圧縮手段における画素ブロックに対応する前処理ブロックに分割し、当該前処理ブロックごとに所定前処理を実行することを特徴としている。
【０００７】
また、上記従来例の問題点を解決するための本発明は、画像処理装置であって、処理対象となった画像データを所定サイズの前処理ブロックに分割し、当該前処理ブロックごとに所定前処理を実行する前処理手段と、前記前処理後の画像データを、前記前処理ブロックに対応するサイズの画素ブロックに分割し、画素ブロックごとの所定処理によって圧縮を行う圧縮手段と、を含むことを特徴としている。
【０００８】
ここで圧縮の対象となった対象画像データのうち所定性状の画像を構成する画像部分を抽出し、当該画像部分を前記対象画像データから除去した画像部分を抽出して、それぞれ第１部分画像データと、第２部分画像データとを生成する手段をさらに含み、前記前処理手段は、前記第２部分画像データを処理対象の画像データとして、当該第２部分画像データを前記前処理ブロックに分割し、当該前処理ブロックごとに、前記除去された画素の画素値を調整する処理を、前記所定前処理として実行することとしてもよい。
【０００９】
さらに前記前処理手段は、前記所定前処理において、除去された画素の画素値を調整するために、前処理ブロック内で除去されていない画素の画素値に基づいて、前記除去された画素の画素値を決定して調整することとしてもよい。
【００１０】
また前記前処理手段は、前記所定前処理において、除去された画素の画素値を調整するために、前処理ブロック内で除去されていない画素がある場合には、当該除去されていない画素の画素値に基づいて、前記除去された画素の画素値を決定し、前記所定前処理において、除去された画素の画素値を調整するために、前処理ブロック内で除去されていない画素がない場合には、他の前処理ブロック内での除去されていない画素の画素値を取得し、当該取得した画素値に基づいて、前記除去された画素の画素値を決定することにより、前記除去された画素の画素値を調整することとしてもよい。
【００１１】
また上記従来例の問題点を解決するための本発明は、コンピュータを用いた画像処理方法であって、コンピュータに、処理対象となった画像データに対して前処理を行う工程と、前記前処理後の画像データを所定サイズの画素ブロックに分割し、画素ブロックごとの所定処理によって圧縮を行う工程と、を実行させ、前記前処理において、前記画像データを前記圧縮手段における画素ブロックに対応する前処理ブロックに分割し、当該前処理ブロックごとに所定前処理を実行させることを特徴としている。
【００１２】
さらに上記従来例の問題点を解決するための本発明は、コンピュータを用いた画像処理方法であって、コンピュータに、処理対象となった画像データを所定サイズの前処理ブロックに分割し、当該前処理ブロックごとに所定前処理を実行する工程と、前記前処理後の画像データを、前記前処理ブロックに対応するサイズの画素ブロックに分割し、画素ブロックごとの所定処理によって圧縮を行う工程と、を実行させることを特徴としている。
【００１３】
また本発明の一態様に係るプログラムは、コンピュータに、処理対象となった画像データに対して前処理を行わせる手順と、前記前処理後の画像データを所定サイズの画素ブロックに分割し、画素ブロックごとの所定処理によって圧縮を行わせる手順と、を実行させ、前記前処理において、前記画像データを前記圧縮手段における画素ブロックに対応する前処理ブロックに分割し、当該前処理ブロックごとに所定前処理を実行させることを特徴としている。
【００１４】
さらに上記従来例の別の態様に係るプログラムは、コンピュータに、処理対象となった画像データを所定サイズの前処理ブロックに分割し、当該前処理ブロックごとに所定前処理を実行する手順と、前記前処理後の画像データを、前記前処理ブロックに対応するサイズの画素ブロックに分割し、画素ブロックごとの所定処理によって圧縮を行う手順と、を実行させることを特徴としている。
【発明を実施するための最良の形態】
【００１５】
本発明の実施の形態に係る画像処理装置は、図１に示すように、制御部１１と記憶部１２と画像入力部１３と画像出力部１４とを含んで構成されている。制御部１１は、記憶部１２に格納されているプログラムに従って動作しており、後に説明する各画像処理を遂行する。この画像処理の内容については、後に詳しく述べる。
【００１６】
記憶部１２は、制御部１１によって実行されるプログラムを保持している。またこの記憶部１２は、制御部１１の処理の過程で生成される各種データ等を格納するワークメモリとしても動作する。具体的にこの記憶部１２は、コンピュータ可読な記録媒体と当該記録媒体に対してデータを書き込み、又は当該記録媒体からデータを読み出す装置（例えばハードディスク装置やメモリ装置）として実装できる。
【００１７】
画像入力部１３は、例えばスキャナであり、原稿を光学的に読み取って得られた画像データを制御部１１に出力する。ここではこの画像入力部１３が出力する画像データにおいて、各画素の値がＲＧＢ（赤、緑、青）の色空間で表現されているとする。画像出力部１４は、制御部１１から入力される指示に従って画像データを出力するもので、例えば画像形成部（プリンタ等）に出力し、又はネットワークを介して外部の装置に送信する等の処理を行うものである。
【００１８】
次に制御部１１の処理の内容について説明する。本実施の形態の制御部１１は、図２に機能的に示すように、画像入力部１３から入力される画像データを処理対象として画像処理を行うために、画像補正部２１と、文字画像プレーン生成部２２と、文字色画像プレーン生成部２３と、絵柄画像プレーン生成部２４と、文字色画像プレーン解像度変換部２５と、文字色画像プレーン圧縮部２６と、絵柄画像プレーン解像度変換部２７と、絵柄画像プレーン圧縮部２８と、文字画像プレーン圧縮部２９と、フォーマット部３０とを含んで構成されている。
【００１９】
以下、これら各部について具体的に説明する。画像補正部２１は、画像入力部１３から入力される画像データ（処理対象画像データ）の各画素の値をＲＧＢからＹＣｂＣｒ（輝度と色差とからなる値）に変換する。具体的には、次の（１）式を用いて変換を行うことができる。なお、ここではＲＧＢの各成分の値は0x00（「0x」は１６進数であることを示す）から0xFFまでの値であるとしている。また、この画像補正部２１では、下地領域の輝度・彩度に基づいて各画素値を階調補正してもよい。尤も、この階調補正の処理は、必ずしも必要なものではない。
【００２０】
【数１】
2005204065.tif 000003
【００２１】
文字画像プレーン生成部２２は、画像補正部２１が出力する画像データから、文字線画部分を抽出し、文字線画部分を構成する画素を特定する情報（例えば文字線画部分を構成する画素を「黒」、それ以外の画素を「白」とした画像データ）を文字画像プレーンとして生成する。文字色画像プレーン生成部２３は、画像補正部２１が出力する画像データと、文字画像プレーン生成部２２が出力する文字画像プレーンとに基づいて、文字線画画像の色情報を含んで構成される情報を文字色画像プレーンとして生成する。
【００２２】
これらの処理は、特許文献１に開示されているものと同様にすればよい。すなわち、文字画像プレーン生成部２２が、処理対象となっている補正後の画像データ（以下「原画像」と呼ぶ）を二値化して得た二値化画像データから文字としての性状を有する画像部分を抽出し、当該画像部分の座標情報を取得する。そして文字色画像プレーン生成部２３が、原画像のうち上記座標情報で表される画像部分に相当する位置（上記２値化画像上で黒（有意な画素）の領域に該当する原画像上での位置）にある画素値を取得して、当該画素値を含む情報を生成する。例えば文字部分を取囲む外接矩形を生成し、この外接矩形内部を上記取得した画素値で塗潰して文字色プレーンを生成する。なお、この文字色画像プレーン生成部２３は、各文字線画ごとに代表色を定め、当該代表色に限定色化してもよい。
【００２３】
絵柄画像プレーン生成部２４は、画像補正部２１が出力する画像データと、文字画像プレーン生成部２２が出力する文字画像プレーンとから、文字画像プレーンの情報に含まれる画素を除去して、文字線画を含まない画像部分（いわば絵柄に対応する画素の領域）を特定する絵柄画像プレーンを生成する。本実施の形態において特徴的なことの一つは、この絵柄画像プレーン生成部２４が、上記除去された画素の画素値を調整するために、後の圧縮処理との関係において定められるサイズの画素ブロックに分割し、当該画素ブロックごとに当該ブロック内で除去されていない画素の画素値に基づいて、除去された画素の画素値を決定することである。この絵柄画像プレーン生成部２４のより詳細な処理の内容については後に詳しく述べる。
【００２４】
具体的に、これらの処理によって生成される文字色画像プレーンと、文字画像プレーンと、絵柄画像プレーンとは、図３に示すようなものである。すなわち、原画像上で赤色文字で記述された文字列「ABC」と、青色文字で記述された文字列「123」と、写真画像とが含まれている場合に、文字画像プレーンは、これら文字列「ABC」及び「123」を黒色文字で記述した画像となり（図３（ａ））、文字色画像プレーンは、文字列「ABC」の外接矩形を含む矩形領域を当該文字列の色である赤色で塗潰した画像と、文字列「123」の外接矩形を含む矩形領域を当該文字列の色である青色で塗潰した画像とを含む（図３（ｂ））。さらに、これら文字部分を除外して写真画像のみを含む画像データが絵柄画像プレーンとして生成される（図３（ｃ））。
【００２５】
ここで文字画像を再現するための文字画像プレーン及び文字色画像プレーンが本発明にいう第１部分画像データに相当し、絵柄画像プレーンが第２部分画像データに相当する。
【００２６】
文字色画像プレーン解像度変換部２５は、文字色画像プレーンの画像データの解像度を変換する。上述のように文字色画像プレーンは、文字形状の画像を含むものでなく、矩形領域のように比較的大きい面積を塗潰したものとなっているので比較的低解像度としても画質を劣化させることがないので、解像度を低減して圧縮率を高めることとするのである。
【００２７】
文字色画像プレーン圧縮部２６は、この解像度変換後の文字色画像プレーンの画像データを圧縮処理する。ここで文字色画像プレーンは１画素当たりのビット数が複数（例えば２４）であるので、ＪＰＥＧ圧縮等、汎用の画像処理チップを使ってリアルタイム処理できる多値画像用の非可逆圧縮方法を適用することが好ましい。ただ非可逆圧縮を適用してしまうと色が変わってしまう場合もあるので、可逆圧縮としてもよい。
【００２８】
絵柄画像プレーン解像度変換部２７は、絵柄画像プレーンを解像度変換処理して低解像度化する。この低解像度化は、圧縮率を向上させるためであるが、必須のものではなく、低解像度化を行わなくても構わない。絵柄画像プレーン圧縮部２８は、絵柄画像プレーン解像度変換部２７は出力する絵柄画像プレーンの画像データを圧縮処理する。ここでの圧縮処理は、絵柄画像プレーンの画像データを所定サイズの画素ブロックに分割し、画素ブロックごとの所定処理によって圧縮を行うものである。この圧縮方法としては、例えばＪＰＥＧ圧縮（８×８画素のブロックごとに圧縮処理を行う）などがある。
【００２９】
文字画像プレーン圧縮部２９は、文字画像プレーンの画像データを圧縮処理する。ここでの圧縮処理では、文字画像プレーンは１画素当たりのビット数が１（すなわち２値）であるのでＭＨ（Modified Huffman）や、ＭＲ（Modified Reed）、ＭＭＲ（Modified Modified Reed）等を採用することができる。また、これらを採用することによって汎用の画像処理チップを使って容易にリアルタイム処理を実現できるようになる。
【００３０】
フォーマット部３０は、圧縮処理後の文字色画像プレーンと、圧縮処理後の絵柄画像プレーンと、圧縮処理後の文字画像プレーンとを所定の画像フォーマット（例えばＰＤＦ（Portable Document Format）やインターネットＦＡＸに用いられるＴＩＦＦ−ＦＸなど）にラッピングして出力する。
【００３１】
ここで、絵柄画像プレーン生成部２４のより詳細な処理の内容について説明する。絵柄画像プレーン生成部２４は、絵柄画像プレーン圧縮部２８における圧縮率を高めるため、圧縮前処理を行って、除去された画素の画素値を設定するものである。具体的に絵柄画像プレーン生成部２４は、図４に示す処理を開始し、まず絵柄画像プレーン圧縮部２８において生成される画素ブロックに対応するブロック（処理ブロックと呼ぶ）に、原画像を分割する（Ｓ１）。
【００３２】
ここで処理ブロックのサイズは、絵柄画像プレーン圧縮部２８が利用する画素ブロックのサイズと、絵柄画像プレーン解像度変換部２７における解像度の変換比率によって決定される。具体的に絵柄画像プレーン圧縮部２８がＪＰＥＧ圧縮を行う場合で、画素ブロックが８×８であるとし、絵柄画像プレーン解像度変換部２７による解像度変換が、１／２倍の変換を行っている場合は、処理ブロックのサイズは１６×１６画素となる。またここでサブサンプリングを行う場合、例えばＣｂ，Ｃｒについてサブサンプリングを行う場合（かつ解像度を１／２倍する変換を行う場合）は、処理ブロックのサイズはそれに合わせて変更してもよい。
【００３３】
絵柄画像プレーン生成部２４は、各処理ブロックのうち一つを選択する（Ｓ２）。そしてこの選択したブロック内に除去された画素があるか否かを調べる（Ｓ３）。ここで、除去された画素がなければ（すなわち当該ブロック内のすべての画素が絵柄部分を構成する画素である場合は）、未だ処理していない処理ブロックがあるか否かを調べ（Ｓ４）、処理していない処理ブロックがあれば、処理Ｓ２に戻って次の処理ブロックを選択して処理を続ける。また、処理Ｓ４において未だ処理していない処理ブロックがなければ（つまり、すべての処理ブロックについて処理を終了したときには）、処理を終了する。
【００３４】
また処理Ｓ３において、除去された画素がある場合は、選択されている処理ブロック内から除去されていない画素（すなわち絵柄部分を構成する画素）を抽出し（Ｓ５）、当該抽出した画素の値に基づく統計量（例えば当該抽出した画素の値の平均値等）を演算して、当該演算の結果を、除去された画素の画素値として決定する（Ｓ６）。なお、統計量そのものではなく、処理ブロック内の絵柄部分を構成する画素の値のうち、当該統計量に最も近い画素値を選択して、除去された画素の画素値として決定してもよい。
【００３５】
そして絵柄プレーン生成部２４は、選択されている処理ブロック内の画素のうち、除去された画素の値をいずれも処理Ｓ６で決定した画素値に設定して（Ｓ７）、処理Ｓ４に移行して処理を続ける。すなわち、この絵柄画像プレーン生成部２４の処理が本発明にいう前処理に相当する。
【００３６】
このように絵柄画像プレーン生成部２４が、除去された画素の値として、圧縮処理時のブロック単位ごとに一つの画素値を決定するので、圧縮率の低下や画質の劣化を招来することがない。
【００３７】
なお、図４に示す処理において、処理Ｓ５で絵柄部分を構成する画素がない場合は、選択している処理ブロックとは異なる他のブロックから絵柄部分を構成する画素を抽出することとしてもよい。ここで他のブロックは例えば近傍ブロック（上、下、右、左、左上、右上、左下、右下の８つのブロックなど）である。
【００３８】
次に、本実施の形態の画像処理装置の動作について説明する。画像入力部１３が複数ページ分の画像データを光学的に読取って制御部１１に出力すると、制御部１１が各ページの画像データをそれぞれ処理対象の画像データとし、順次注目画像データとして選択する。
【００３９】
そして制御部１１は注目画像データから文字画像プレーンを抽出し、文字画像プレーンに対応する文字色画像プレーンを生成して、これら文字画像プレーン及び文字色画像プレーンを記憶部１２に格納する。さらに制御部１１は、注目画像データから文字画像プレーンを除去した絵柄画像プレーンを生成して記憶部１２に格納する。この際、制御部１１は、後に行う絵柄画像プレーンの圧縮処理のパラメータと、解像度変換のパラメータとに基づいて処理ブロックのサイズを決定し、注目画像データを当該決定したサイズの処理ブロックに分割して、処理ブロックごとに、当該処理ブロック内の画素のうち除外されるべき画素の値を、除外されない画素の値に基づいて決定する。
【００４０】
制御部１１は、記憶部１２に格納されている文字色画像プレーンと、絵柄画像プレーンとをそれぞれ解像度変換し、さらに文字画像プレーンと、解像度変換後の文字色画像プレーン及び絵柄画像プレーンを圧縮処理して、記憶部１２に格納する。ここで絵柄画像プレーンについての解像度変換と圧縮処理とは、いずれも上記処理ブロックのサイズに関係した処理パラメータによって行われる。制御部１１は、さらに注目画像データとして選択していないページの画像データがあるか否かを調べ、そのような画像データがあれば、当該未選択のページの画像データの一つを注目画像データとして選択して、上記処理を繰返して行う。
【００４１】
また、制御部１１はすべてのページの画像データについて処理を完了していれば、記憶部１２に格納されている各ページの各プレーンに係る圧縮画像データをＰＤＦ等の所定のフォーマットの画像データに変換し、当該変換した画像データを画像出力部１４から出力する。
【００４２】
こうして得られた変換後の画像データは、例えば受け側において、各プレーンのデータが伸長される。そして当該受け側で、文字色画像プレーンと絵柄画像プレーンとの解像度を元の（原画像の）解像度に戻すよう解像度変換し、文字色画像プレーンのうち、文字画像プレーン上の黒画素に対応する画素値を抽出した画像データを再現し（これにより文字部分の画像が色を含めて再現されることになる）、当該再現した文字部分の画像データを絵柄画像プレーンの対応する位置に上書して、元の画像データを再生することになる。
【００４３】
なお、ここまでの説明では、絵柄画像プレーンの生成の際に、後に行われる解像度変換や圧縮処理の処理パラメータに配慮した処理ブロックを生成し、当該処理ブロックごとに処理を行うようにしていたが、これに代えて、絵柄画像プレーンの生成の際に予め定めたサイズの処理ブロックに分割して絵柄画像プレーンのデータを生成しておき、当該処理ブロックのサイズに基づいて解像度変換や圧縮処理の処理パラメータを決定してもよい。例えば、処理ブロックのサイズが１６×１６である場合に、圧縮処理における画素ブロックのサイズを１６×１６のサイズとするなどである。
【００４４】
また、本実施の形態の説明においては、画像データをプレーンに分割するなど、部分的な画像データを除去したときの、当該除去部分の穴埋処理を行う場合について説明したが、これに限らず、例えば画像データからノイズや汚れ（いわゆるアーティファクト）を除去する処理にも利用できる。
【図面の簡単な説明】
【００４５】
【図１】本発明の実施の形態に係る画像処理装置の一例を表す構成ブロック図である。
【図２】本発明の実施の形態に係る画像処理装置の制御部によって実行される処理内容を表す機能ブロック図である。
【図３】各画像プレーンの例を表す説明図である。
【図４】絵柄画像プレーン生成部の処理例を表すフローチャート図である。
【符号の説明】
【００４６】
１１  制御部、１２  記憶部、１３  画像入力部、１４  画像出力部、２１  画像補正部、２２  文字画像プレーン生成部、２３  文字色画像プレーン生成部、２４  絵柄画像プレーン生成部、２５  文字色画像プレーン解像度変換部、２６  文字色画像プレーン圧縮部、２７  絵柄画像プレーン解像度変換部、２８  絵柄画像プレーン圧縮部、２９  文字画像プレーン圧縮部、３０  フォーマット部。
【図１】
2005204065.tif 000004
【図２】
2005204065.tif 000005
【図３】
2005204065.tif 000006
【図４】
2005204065.tif 000007